(57)【要約】ゴルフスイングの安定化を図るため、ゴルフスイングでもっとも重要且つ複雑で難解なダウンスイングの合理化を図る。バックスイングでクラブを上げ、トップオブスイングからダウンスイングの一連でシャフトが立った状態のときダウンスイングの始動とともに、ゴルファーの運動エネルギーと重力により、ゴルフクラブに装置した、移動物の落下を確認し、落下方向のベクトルに合わせて、スイングすることで、クラブシャフトを縦に下ろす近回りの効率的なダウンスイングを行うこができるゴルフクラブ。このクラブでスイングするときスタンスとボールの距離を表示したアドレスマット上で実施する事でよりリアリティなスイングが行える。グリップエンド部の脱着可能なグリップにより、手軽に技術を実現できる。
2004039463.tif 000002
【特許請求の範囲】
【請求項１】
重力感知バーをゴルフクラブのシャフトに移動できるように内蔵させ、ヘッド近傍にストッパーを固定し、バックスイングからダウンスイングの一連でシャフトが立った状態のとき重力により縦にバーが落下する感覚を意識させることで、ゴルファーに重力を実感させたダウンスイングを可能とするゴルフクラブ。
【請求項２】
前記バーはセンサーつきである事を特徴とする、請求の範囲第１項記載のゴルフクラブ。
【請求項３】
ゴルフクラブのシャフト内部に移動物とストッパーを挿入し、何れか一方が磁石であるとき、他方が強磁性体のもので、ヘッド近傍にストッパーを固定し、バックスイングからトップオブスイングまで移動物はストッパー部に接触し、ダウンスイングの始動を機に、ゴルファーの運動エネルギーと重力により、ストッパー部から離れ、グリップ側に落下する事を特徴とするゴルフクラブ。
【請求項４】
ゴルフクラブは磁性を有する移動物と、ヘッド近傍に固定した磁性を有するストッパーとを、シャフト内で同極同士を対向させ、ダウンスイングの際に運動エネルギーと重力による移動物の落下を、磁性による同極同士の反発で、より促進可能に構成した事を、特徴とするゴルフクラブ。
【請求項５】
ゴルフクラブのグリップエンド部に移動物を出没自在に装着し、ダウンスイングの始動時、ゴルファーの運動エネルギーと重力でグリップエンドから移動物が突出す事を特徴とするゴルフクラブ。
【請求項６】
請求の範囲第１〜４項記載のゴルフクラブは、グリップエンド部が、シャフト端部開口を開閉する脱着式であることを特徴とするゴルフクラブ。
【請求項７】
ゴルフクラブのシャフト部外周面に脱着自在の移動物を長さ方向に移動可能に取り付け、シャフトのヘッド側とグリップ上部に移動物を受け止める柄を脱着自在に取り付けた事を特徴とするゴルフクラブ。
【発明の詳細な説明】
【技術分野】  この発明は、強制運動であるゴルフスイングにおいて、スイング目的であるゴルフボールをターゲットに向けて正確に飛ばすためにもつとも重要なダウンスイングに関する技術分野。
【背景技術】  ゴルフスイングはバックスイングから始まり、ダウンスイングへの一連で、ゴルファーが与える運動エネルギーの一部と、腕及びクラブが落下するときに重力場から得る位置エネルギーの一部が力の加法則にしたがってスイングを行うことでボールに与えられインパクトでクラブヘッドがボールに与えるエネルギーは、クラブヘッドとボールの物理的な性質と物理の法則で決まるからコントロールできないそのためスイング効率を最大にする技術が求められる。
この対応策として、ゴルフスイングでもっとも複雑で難解なダウンスイングの効率化を図ることである。
従来の技術は、ゴルフクラブ自体のヘッド重量を意識してトップオブスイングから切り返してダウンスイングを実施する曖昧な方法であった。
【発明の開示】
【発明が解決しようとする課題】  解決しようとする問題点は、従来のヘッド重量を意識する方法ではバックスイングからダウンスイングでクラブを上げて下ろすタイミングやクラブヘッドの重量感は個々の感覚で行われていた為、バラバラなダウンスイングになりやすく安定性にかけていた。
【課題を解決するための手段】  本発明は、ゴルフクラブに内蔵した移動物である重力感知バーがバックスイングからダウンスイングの一連でシャフトが立った状態のとき重力とゴルファーの運動エネルギーにより落下し始め、この落下方向のベクトルに合わせて両腕を胸の正面に落とす意識でスイングすることで、クラブシャフトを縦に下ろす、近回りの効率的なダウンスイングを実現できる。
請求の範囲第１項記載の重力感知バーは、各ゴルファーのスイングと使用するゴルフクラブによって、長さ、重さ、素材ごとに調整して、シャフト内に挿入し、シャフト内のヘッド近傍に重力感知バーを受け止めるためのストッパーを固定させ、アドレスでは重力感知バーはストッパー部にあり、バックスイングからダウンスイングの一連でシャフトが立った状態のとき重力により縦にバーが落下、この落下方向のベクトルに合わせてスイングを行う。
請求の範囲第２項記載のセンサーつきバーは、バックスイングからトップオブスイングまでヘッド側に位置しダウンスイングの初動時にグリップ側に移動、切り返し後ヘッド側に移動する、このバーの移動時間をセンサーで測定し、ハウジングから、プログラマブルコントローラに取りこみコンピュータで画像処理し、その画面を見ながら効率的なダウンスイングを実現する。
請求の範囲第３項記載の強磁性体移動物は、バー又は、ボールの形態で、バーは長さ及び重さを調整し、ボールは、ボールの直径と重さ及び個数を調整して、シャフト内に挿入したゴルフクラブ。アドレスでは移動物はヘッド側の磁性を有するストッパーに付いている、バックスイングからダウンスイングの切ク返しでシャフトが立った状態のときゴルファーの運動エネルギーと重力で移動物が落下を始めるように重量を調整し、この落下方向のベクトルに合わせてスイングすることで、クラブシャフトを縦に下ろす、近回りの効率的なダウンスイングを行える。移動物とストッパーは何れか一方が磁性を含み他方が着磁性部材を含むものであり、それぞれの構成は逆も可能である。
請求の範囲第４項記載のゴルフクラブは、カーボンシャフト（非着磁性体シャフト）内に磁性を有する移動物とヘッド近傍に固定した磁性を有するストッパーとを、シャフト内で同極同士を対向させることで磁性反発が生じ、移動物の移動を促進にしたもので、バックスイングからダウンスイングの切り返しで、ヘッド側からグリップ側に落下し、この落下方向のベクトルに合わせて効率的なダウンスイングを行うゴルフクラブ。
請求の範囲第５項記載のゴルフクラブは、アドレスの時、移動物はグリップの中にあり、バックスイングからダウンスイングの一連でシャフトが立った状態のときゴルファーの運動エネルギーと重力でグリップエンドから移動物が突出す、この突出した方向をゴルフボールに向けてダウンスイングを行うことでクラブを縦に下ろす近回りの効率的なダウンスイングを行えるゴルフクラブ。移動物は複合体からなるもので、飛び出す長さは約１０センチとし、重さ及びバランスを調整してグリップエンド部に装着したゴルフクラブ。
請求の範囲第６項記載のゴルフクラブはグリップエンド部脱着式であって、グリップエンド部が螺子で頭部に溝をつけコイン等で簡単に取り外しできるもので、請求の範囲第１，２，３，４項記載の移動物を簡単に出し入れできるように考案したものである。請求の範囲第５項記載のグリップエンド部からの移動物が突き出し具もグリップエンド部分の脱着式である。
請求の範囲第７項記載の外付け移動物は合成樹脂製又は金属との複合で、重量は金属片を貼り付けることで調整可能とし、シャフト部外周面に移動物を長さ方向に移動可能に取り付け、シャフトのヘッド側とグリップ上部に移動物を受け止める柄があり、柄は弾性体で形成され、緊密にシャフトに填め込む固定式である。移動物と柄は、断面略Ｃ字状スリットがあり弾性力を利用してスリットを広げてシャフトにかぶせて取り付け、外すときはこの逆をやることで外れる構造を有した脱着自在なゴルフクラブ。
本発明の実施形態として、身長とゴルフクラブの長さに合せて足の位置とボール位置との間の好ましい相対位置をプリントしたマットに乗って、足の位置を合せてアドレスしボールの位置を確認してスイングを行うことでゴルフクラブごとのスイングプレーンを意識してスイングできるので請求の範囲第１，２，３，４，５，７項記載の実施練習としてより効果的に行える。
本発明は、あらゆるゴルフクラブに対応させることができ、通常のプレーに使用するフルサイズに限らず各種練習用の短いクラブにも好適に用いることができる。特に短縮クラブでの実施練習スイングにおいて移動物を挿入したことで、ダウンスイングでの移動物の動きを意識してスイングすると、ヘッド部の重量が軽量でも力強い、振り切りのよいスイングができる。したがって移動物が入っていないクラブと比べることで、スイング感覚の違いを認識させる。特にトップオブスイングからダウンスイングの切り返しで、移動物の落下を確認（意識）し、移動物をヘッド側に送り込むように振り切ることで実体感があるスイングができる。
この短縮ゴルフクラブで振り切り感のあるスイング練習は、シャフトの長さが短縮でクラブ全体が軽量のため、スイングの一連でグリップの握りに余計な力が入らないようにグリップの握りの強さを一定に保つようにグリッププレシャーを意識した練習にも最適である。
【産業上の利用可能性】  本発明のゴルフクラブは、ゴルフスイングでもっとも重要且つ複雑で難解なダウンスイングを、今までのヘッドの重さを意識する曖味な方法から、ゴルファーの運動エネルギーと重力によりヘッド側から移動物を落下させ、この落下方向のベクトルに合せてクラブを縦に下ろすことで近回りの効率のよいスイングが容易にできるのでゴルフスイングの基礎的構築につながりゴルフ産業全体の拡大につながる。
【図面の簡単な説明】  第１図は、請求の範囲第１項記載の重力感知バーを内蔵したゴルフクラブ。
第２図は、請求の範囲第２項記載のゴルフクラブにセンサー付きバーとデータ出力用ハウジングを内蔵したものからプログラマブルコントローラに取り込みデータストレージターミナルで蓄積し、無線ＬＡＮでコンピュータに送りデータを検出する概念図。
第３図は、請求の範囲第３項記載のゴルフクラブで、（Ａ）は磁気性ストッパートと強磁性体移動バーのクラブ。（Ｂ）は強磁性体ストッパーと磁気性移動バーのクラブ。（Ｃ）は移動物がボールの図。
第４図は、請求の範囲第４項記載のゴルフクラブで、ストッパーと移動物が磁気性で同極同士に設置した図。
第５図は、請求の範囲第５項記載のグリップエンドから移動物が突出した図。
第６図は、請求の範囲第６項記載のグリップエンド部がシャフト端部開口を開閉する脱着式のグリップ図。
第７図は、請求の範囲第７項記載のゴルフクラブでシャフト部分に脱着自在の移動物を取り付け、（移動物１０は断面略Ｃ字状スリット１０ｓがあり弾性力を利用してスリット１０ｓを広げてシャフトにかぶせる。外すときはこの逆をやる。柄も上記同様に弾性力により開いたり閉じたりできるように構成されている。）シャフトのヘッド側とグリップの付け根に移動物を受け止める脱着自在の柄を取り付けた図。
【符号の説明】
ａ      ストッパー
ａ’    磁性ストッパー
ａ”    強磁性ストッパー
ｂ      重力感知バー
ｂ’    磁性バー
ｂ”    強磁性バー
ｃ      ボール
Ａ      ハウジング
Ｂ      センサー付きバー
１      シャフト
２      グリップ
３      ストッパー
４      バー
５      ガイドパイプ
６      錘
７      取り外し用溝
８      ねじ式取り外しキャップ
９      グリップ
１０    移動物
１０Ｓ  移動物スリット
１１    柄
１１Ｓ  柄スリット
１２    金属片
【図１】
2004039463.tif 000003
【図２】
2004039463.tif 000004
【図３】
2004039463.tif 000005
【図４】
2004039463.tif 000006
【図５】
2004039463.tif 000007
【図６】
2004039463.tif 000008
【図７】
2004039463.tif 000009
【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
ゴルフクラブのシャフト内部に移動物とストッパーを挿入し、何れか一方が磁石であるとき、他方が強磁性体のもので、ヘッド近傍にストッパーを固定し、バックスイングからトップオブスイングまで移動物はストッパー部に接触し、ダウンスイングの始動を機に、ゴルファーが与える運動エネルギーと重力により、移動物がストッパーから離れ、グリップ側に落下するようにした事を特徴とするゴルフクラブ。
【請求項２】
ゴルフクラブは非着磁性体シャフト内部に磁性を有する移動物と、ヘッド近傍に固定した磁性を有するストッパーとを、シャフト内で同極同士を対向させ、ダウンスイングの際にゴルファーが与える運動エネルギーと重力による移動物の落下を、磁性による同極同士の反発で、より促進可能に構成した事を特徴とするゴルフクラブ。
【請求項３】
グリップエンド部が、シャフト端部開口を開閉する脱着式であることを特徴とする請求項１又は２に記載のゴルフクラブ。
【手続補正２】
【補正対象書類名】明細書
【補正対象項目名】全文
【補正方法】変更
【補正の内容】
【書類名】  明細書
【技術分野】
【０００１】
この発明は、ゴルフクラブ、特に、ゴルフボールをターゲットに向けて正確に飛ばすためにもつとも重要なダウンスイング練習用のゴルフクラブに関するものである。
【０００２】
ゴルフスイングはバックスイングから始まり、ダウンスイングへの一連で、ゴルファーが与える運動エネルギーの一部と、腕及びクラブが落下するときに重力場から得る位置エネルギーの一部が力の加法則にしたがってスイングを行うことでボールに与えられ、インパクトでクラブヘッドがボールに与えるエネルギーは、クラブヘッドとボールの物理的な性質と物理の法則で決まるからコントロールできない。そのためスイング効率を最大にする技術が求められる。この対応策として、ゴルフスイングでもっとも複雑で難解なダウンスイングの効率化を図ることである。
【背景技術】
【０００３】
従来のゴルフスイングにおけるダウンスイングの練習は、ゴルフクラブ自体のヘッド重量を意識してトップオブスイングから切り返してダウンスイングを実施するという方法により行われていた。
【発明の開示】
【発明が解決しようとする課題】
【０００４】
このような従来のヘッド重量を意識する方法では、バックスイングからダウンスイングでクラブを上げて下ろすタイミングやクラブへツドの重量感は各個人の感覚に基づくものであった為、バラバラなダウンスイングになりやすく安定性にかけていた。
【課題を解決するための手段】
【０００５】
請求項１の発明においては、ゴルフクラブのシャフト内部に移動物とストッパーを挿入し、何れか一方が磁石であるとき、他方が強磁性体のもので、ヘッド近傍にストッパーを固定し、バックスイングからトップオブスイングまで移動物はストッパー部に接触し、ダウンスイングの始動を機に、ゴルファーが与える運動エネルギーと重力により、移動物がストッパーから離れ、グリップ側に落下するようにした事を特徴としている。
請求項２の発明においては、ゴルフクラブは非着磁性体シャフト内部に磁性を有する移動物と、ヘッド近傍に固定した磁性を有するストッパーとを、シャフト内で同極同士を対向させ、ダウンスイングの際にゴルファーが与える運動エネルギーと重力による移動物の落下を、磁性による同極同士の反発で、より促進可能に構成した事を特徴としている。
請求項３の発明においては、請求項１又は2の発明における、グリップエンド部が、シャフト端部開口を開閉する脱着式であることを特徴としている。
【発明の効果】
【０００６】
本発明は、ゴルフクラブに内蔵した移動物がバックスイングからダウンスイングの一連の動作の中でシャフトが立った状態のときゴルファーが与える運動エネルギーと重力により落下し始めるようにしたもので、この落下方向のベクトルに合わせて両腕を胸の正面に落とす意識でスイングすることで、クラブシャフトを縦に下ろす、近回りの効率的なダウンスイングを実現できる。
【発明の実施の態様】
【０００７】
請求項１記載の発明において、強磁性体移動物は、バー又は、ボールの形態で、バーは長さ及び重さを調整し、ボールは、ボールの直径と重さ及び個数を調整して、シャフト内に挿入してある。アドレスでは移動物はヘッド側の磁性を有するストッパーに付いている。バックスイングからダウンスイングの切り返しでシャフトが立った状態のときゴルファーが与える運動エネルギーと重力で移動物が落下を始めるように重量を調整し、この落下方向のベクトルに合わせてスイングすることで、クラブシャフトを縦に下ろす、近回りの効率的なダウンスイングを行える。移動物とストッパーは何れか一方が磁性を含み他方が着磁性部材を含むものであり、それぞれの構成は逆も可能である。
【０００８】
請求項２記載のゴルフクラブは、カーボンシャフト（非着磁性体シャフト）内に磁性を有する移動物とヘッド近傍に固定した磁性を有するストッパーとを、シャフト内で同極同士を対向させることで磁性反発が生じ、移動物の移動を促進にしたもので、バックスイングからダウンスイングの切り返しで、移動物がヘッド側からグリップ側に落下し、この落下方向のベクトルに合わせて効率的なダウンスイングを行うことができる。
【０００９】
請求項３記載のゴルフクラブはグリップエンド部脱着式であって、グリップエンド部が螺子で頭部に溝をつけコイン等で簡単に取り外しできるもので、移動物を簡単に出し入れできるようにしたものである。
【００１０】
本発明のゴルフクラブを用いる場合、身長とゴルフクラブの長さに合せて足の位置とボール位置との間の好ましい相対位置をプリントしたマットに乗って、足の位置を合せてアドレスしボールの位置を確認してスイングを行うことでゴルフクラブごとのスイングプレーンを意識してスイングでき、実施練習としてより効果的に行える。
【００１１】
本発明は、あらゆるゴルフクラブに対応させることができ、通常のプレーに使用するフルサイズに限らず各種練習用の短いクラブにも好適に用いることができる。特に短縮クラブでの実施練習スイングにおいて移動物を挿入したことで、ダウンスイングでの移動物の動きを意識してスイングすると、ヘッド部の重量が軽量でも力強い、振り切りのよいスイングができる。したがって移動物が入っていないクラブと比べることで、スイング感覚の違いを認識させる。特にトップオブスイングからダウンスイングの切り返しで、移動物の落下を確認(意識)し、移動物をヘッド側に送り込むように振り切ることで実体感があるスイングができる。尚この短縮ゴルフクラブで振り切り感のあるスイング練習は、シャフトの長さが短縮されておりクラブ全体が軽量のため、スイングの一連でグリップの握りに余計な力が入らないようにグリップの握りの強さを一定に保つようにグリッププレシャーを意識した練習にも最適である。
【産業上の利用可能性】
【００１２】
本発明のゴルフクラブは、ゴルフスイングの基礎的構築につながりゴルフ産業全体の拡大につながる。
【図面の簡単な説明】
第１図は、請求項１記載のゴルフクラブで、（A）は磁気性ストッパーと強磁性体移動バーのクラブ。（B）は強磁性体ストッパーと磁気性移動バーのクラブ。（C）は移動物がボールの場合を示している。
第２図は、請求項２記載のゴルフクラブで、ストッパーと移動物が磁気を有し同極同士を対向させた場合を示している。
第３図は、請求項３記載のグリップエンド部がシャフト端部開口を開閉する脱着式のグリップの場合を示している。
符号の説明
a’    磁性ストッパー
a”
強磁性ストッパー
b’    磁性バー
b”
強磁性バー
c    ボール
1       
取り外し用溝
2       
ねじ式取り外しキャップ
3       
グリップ
【手続補正３】
【補正対象書類名】図面
【補正対象項目名】全図
【補正方法】変更
【補正の内容】
2004039463.tif 000010
【国際調査報告】
2004039463.tif 000011
2004039463.tif 000012
2004039463.tif 000013
2004039463.tif 000014